(57)【要約】  【課題】  端子の大幅なコスト増大を回避しながら、電池パック２０の電池側端子２１と本体側端子との電気的な接続状態を確実に維持する。  【解決手段】  電池パック２０は、互いに対向する面２０ａ・２０ｂを有する略直方体形状で形成される。電池パック２０の電池側端子２１は、第１の端子群３１と、第２の端子群３２と、第３の端子群３３とで構成される。第１の端子群３１は、互いに同電位となる第１の端子３１ａおよび第２の端子３１ｂからなる。第２の端子群３２は、互いに同電位となる第１の端子３２ａおよび第２の端子３２ｂからなる。第３の端子群３３は、互いに同電位となる第１の端子３３ａおよび第２の端子３３ｂからなる。各端子群について、第１の端子および第２の端子は、面２０ａ・２０ｂのそれぞれに設けられ、面２０ａ・２０ｂの対向方向で互いに重ならないように、面２０ａ・２０ｂ内でずれて配置される。【選択図】      図１
2006244737.tif 000002
【特許請求の範囲】
【請求項１】
端末装置に対して着脱され、上記端末装置に電源を供給するための電池側端子を備えた電池パックであって、
互いに対向する面を有し、
上記電池側端子は、互いに同電位となる第１の端子および第２の端子からなる端子群を複数有しており、
各端子群について、上記第１の端子および上記第２の端子は、上記対向面のそれぞれに設けられていることを特徴とする電池パック。
【請求項２】
各端子群について、上記第１の端子および上記第２の端子は、上記各対向面の対向方向において互いに重ならないように、上記各対向面内でずれて配置されていることを特徴とする請求項１に記載の電池パック。
【請求項３】
各端子群について、上記第１の端子および上記第２の端子は、各端子群に共通の点に対して対称となる位置に設けられていることを特徴とする請求項２に記載の電池パック。
【請求項４】
上記第１の端子および上記第２の端子は、全て同一部品で構成されていることを特徴とする請求項１から３のいずれかに記載の電池パック。
【請求項５】
内部に電池セルを備えており、
各端子群は、上記電池セルの正極と接続される端子群と、上記電池セルの負極と接続される端子群とを含んでいることを特徴とする請求項１から４のいずれかに記載の電池パック。
【請求項６】
内部に電池温度検出用の素子を備えており、
各端子群は、上記素子と接続される端子群をさらに含んでいることを特徴とする請求項５に記載の電池パック。
【請求項７】
請求項１から６のいずれかに記載の電池パックが装着される端末装置であって、
上記電池パックの装着時に上記電池側端子と電気的に接続される装置側端子を備えており、
上記装置側端子は、上記電池パックの装着時にその電池側端子の各端子群の第１の端子および第２の端子のそれぞれと対向する位置に設けられていることを特徴とする端末装置。
【請求項８】
上記装置側端子は、全て同一部品で構成されていることを特徴とする請求項７に記載の端末装置。
【請求項９】
請求項１から６のいずれかに記載の電池パックと、
請求項７または８に記載の端末装置とを備えていることを特徴とする端末機器。
【発明の詳細な説明】
【技術分野】
【０００１】
本発明は、端末装置に電源を供給するための電池パックと、その電池パックが装着される端末装置と、電池パックが端末装置に装着された端末機器とに関するものである。
【背景技術】
【０００２】
近年の端末機器として最も普及している携帯電話機には、電池パック等のバッテリーが装着されている。携帯電話機の使用に伴い、バッテリー残量が低下すると、携帯電話機を充電器に差し込んで互いの端子を電気的に接続することで、上記のバッテリーが充電される。上記充電器としては、例えば特許文献１に開示されている。
【０００３】
ところで、使用者は、不注意から携帯電話機を誤って地面に落下させてしまう場合がある。この場合、落下時の衝撃や振動で、電池パックの端子と機器本体の端子との間の電気的な接続が瞬間的に断たれ、ハードウェアがリセットされてしまう。
【０００４】
そこで、例えば特許文献２では、機器本体側の端子を、ばね状端子で構成している。このばね状端子は、導電性板材料を折り曲げることによって形成されており、その先端側は、ばね定数が異なるように複数に分断されている。このばね状端子において、ばね定数の異なる部分は、それぞれ電池パックと接触可能な接点部を構成している。この構成では、機器本体に衝撃等の外力が加わり、ばね状端子が振動しても、ばね状端子の各々の接点部については、ばね定数が異なることで共振周波数が異なるので、いずれかの接点部が電池パックの電池側端子と接触する。これにより、機器本体に衝撃等の外力が加わっても、機器本体側の端子と電池パックの端子との電気的接続が保たれるようになっている。
【特許文献１】特開平１０−４０９９０号公報
【特許文献２】特開２００２−７５３０９号公報
【発明の開示】
【発明が解決しようとする課題】
【０００５】
ところが、特許文献２の構成では、機器本体が強い衝撃を受けたときには、ばね状端子が追従できず、全ての接点部が電池パック側の端子と瞬間的に離間し、両者の電気的接続が瞬間的に断たれてしまうことが十分に考えられる。しかも、機器本体側の端子（ばね状端子）が接触する電池パックの電池側端子は、電池パックの１面にしか設けられていないため、衝撃等による電池パックと機器本体との電気的接続の瞬間的な断絶はさらに生じやすくなる。また、複数の接点部についてばね定数が異なるような端子の複雑な設計および製造は、端子の大幅なコスト増大を招く。
【０００６】
本発明は、上記の問題点を解決するためになされたものであって、その目的は、端子の大幅なコスト増大を回避しつつ、端末機器に大きな衝撃が加わった場合でも、電池パックと端末装置との電気的な接続状態を確実に維持することのできる電池パックと、端末装置と、端末機器とを提供することにある。
【課題を解決するための手段】
【０００７】
本発明の電池パックは、端末装置（例えば携帯電話機の機器本体）に対して着脱され、上記端末装置に電源を供給するための電池側端子を備えた電池パックであって、互いに対向する面を有し、上記電池側端子は、互いに同電位となる第１の端子および第２の端子からなる端子群を複数有しており、各端子群について、上記第１の端子および上記第２の端子は、上記対向面のそれぞれに設けられていることを特徴としている。
【０００８】
上記の構成によれば、電池パックの電池側端子は、互いに同電位となる第１の端子および第２の端子からなる端子群を複数有している。これにより、各端子群間に電位差を生じさせれば、電池パックを端末装置に装着したときに、各端子群について第１の端子と第２の端子とのうちの少なくとも一方と、端末装置側の端子（以下、装置側端子と称する）とが接触し、電池パックから端末装置に電源が供給される。
【０００９】
このとき、各端子群について、第１の端子および第２の端子は、電池パックの対向面のそれぞれにそれぞれ設けられている。これにより、例えば、装置側端子が各々の第１の端子および第２の端子と対向して設けられていれば、落下等によって端末装置が衝撃を受け、第１の端子がこれと対向する装置側端子から離間する方向に電池パックが瞬間的に移動しても、その移動方向は、電池パックの反対面（第１の端子の形成面と対向する面）に形成された第２の端子がこれと対向する装置側端子に押し付けられる方向となるので、第２の端子で装置側端子との電気的な接続状態が保たれる。したがって、端末装置が大きな衝撃を受けたときでも、電池側端子と装置側端子との電気的な接続状態を確実に維持して、電池パックから端末装置に確実に電源を供給することができる。
【００１０】
また、電池側端子として、第１の端子に加えて第２の端子を設けることで、端子の数は増加するが、第１の端子および第２の端子に用いられる部品を設計変更により特に区別する必要はなく、これらの端子を全て共通部品で構成することができる。したがって、電池パック側で端子のコストが大幅に増大することはない。
【００１１】
ここで、各端子群について、上記第１の端子および上記第２の端子は、上記各対向面の対向方向において互いに重ならないように、上記各対向面内でずれて配置されていることが望ましい。この場合、端末装置がどのような方向から衝撃を受けても、第１の端子および第２の端子のどちらか一方で装置側端子との電気的な接続状態を維持するようにすることができる。特に、各端子群について、上記第１の端子および上記第２の端子は、各端子群に共通の点に対して対称となる位置に設けられている構成とすれば、上記の効果を確実に得ることができる。
【００１２】
また、上記第１の端子および上記第２の端子は、全て同一部品で構成されていることが望ましい。この場合、電池側端子のコストが大幅に増大するのを回避することができる。
【００１３】
また、本発明の電池パックは、内部に電池セルを備えており、各端子群は、上記電池セルの正極と接続される端子群と、上記電池セルの負極と接続される端子群とを含んでいることが望ましい。この場合、上記の各端子群間に電位差を持たせることができるので、電池パックを端末装置に装着し、各端子群と装置側端子とを電気的に接続したときに、電池パックから端末装置に電源を確実に供給することができる。
【００１４】
また、本発明の電池パックは、内部に電池温度検出用の素子（例えばサーミスタ）を備えており、各端子群は、上記素子と接続される端子群をさらに含んでいることが望ましい。この場合、電池パックを端末装置に装着し、上記端子群と装置側端子とを電気的に接続したときに、端末装置側で電池パックの温度を検出することができる。
【００１５】
本発明の端末装置は、上述した本発明の電池パックが装着される端末装置であって、上記電池パックの装着時に上記電池側端子と電気的に接続される装置側端子を備えており、上記装置側端子は、上記電池パックの装着時にその電池側端子の各端子群の第１の端子および第２の端子のそれぞれと対向する位置に設けられていることを特徴としている。
【００１６】
上記の構成によれば、電池パックが端末装置に装着されたときには、電池パックの電池側端子の各端子群の第１の端子および第２の端子のそれぞれと、装置側端子とが対向した位置関係にあるので、落下等によって端末装置が衝撃を受け、例えば第１の端子がこれと対向する装置側端子から離間する方向に電池パックが瞬間的に移動しても、その移動方向は、電池パックの反対面に形成された第２の端子がこれと対向する装置側端子に押し付けられる方向となるので、第２の端子で装置側端子との電気的な接続状態を確実に維持することができる。これにより、端末装置が落下等によって大きな衝撃を受けたときでも、電池パックから端末装置に確実に電源を供給することができる。
【００１７】
特に、電池パックにおいて、各端子群について、第１の端子および第２の端子が電池パックの各対向面の対向方向において互いに重ならないように、上記各対向面内でずれて配置されていれば、端末装置がどのような方向から衝撃を受けても、第１の端子および第２の端子のどちらか一方で装置側端子との電気的な接続状態を確実に維持することができる。
【００１８】
また、第１の端子および第２の端子と対向する位置に装置側端子を配置しても、これらの装置側端子に用いられる部品を設計変更により特に区別する必要がなく、装置側端子を全て共通部品で構成することができる。つまり、装置側端子は、全て同一部品で構成されていてもよい。したがって、端末装置側での端子のコストが大幅に増大することはない。
【００１９】
本発明の端末機器（例えば携帯電話機）は、上述した本発明の電池パックと、上述した本発明の端末装置とを備えていることを特徴としている。これにより、端子全体のコストが大幅に増大するのを回避しながら、端末装置が大きな衝撃を受けたときでも電池側端子と装置側端子との電気的な接続状態を確実に維持して、電池パックから端末装置に確実に電源を供給することができる。
【発明の効果】
【００２０】
本発明によれば、電池パックの電池側端子は、互いに同電位となる第１の端子および第２の端子からなる端子群を複数有しており、各端子群について、第１の端子および第２の端子は、電池パックの互いに対向する面にそれぞれ設けられているので、落下等によって端末装置が大きな衝撃を受けたときでも、第１の端子および第２の端子のいずれか一方で装置側端子との電気的な接続状態を確実に維持することができ、電池パックから端末装置に確実に電源を供給することができる。しかも、電池側端子および装置側端子のそれぞれについて共通部品を使用することができるので、端子全体のコストが大幅に増大するのを回避することができる。
【発明を実施するための最良の形態】
【００２１】
本発明の実施の一形態について、図面に基づいて説明すれば、以下の通りである。なお、以下で説明する部材およびその配置等は、本発明を限定するものではなく、本発明の趣旨の範囲内で種々改変することができるものである。
【００２２】
図２は、本実施形態に係る端末機器としての携帯電話機の概略の構成を示す斜視図である。この携帯電話機は、機器本体１に電池パック２０（図１参照）が装着されて構成されている。まず、機器本体１について説明する。
【００２３】
機器本体１は、電池パック２０が装着される端末装置であり、上部筐体１ａと下部筐体１ｂとがヒンジ部１ｃにて回動可能に接続されて構成されている。上部筐体１ａには、液晶表示部２と、レシーバ穴３とが設けられており、下部筐体１ｂには、キー入力部４と、マイク穴５とが設けられている。なお、機器本体１は、被写体を撮影するカメラを備えていてもよい。
【００２４】
液晶表示部２は、キー入力部４によって入力された情報や、各種の画面を表示する表示部である。レシーバ穴３は、受話音声を使用者に出力する部分である。キー入力部４は、複数の操作キーからなり、各種情報（文字、数字など）の入力や、液晶表示部２における表示画面の切り替えに使用される。マイク穴５は、その下部のマイク６（図３参照）に送話音声を入力するために開口した穴である。
【００２５】
ここで、図３は、機器本体１の下部筐体１ｂの概略の構成を示す断面図である。下部筐体１ｂの内部には、プリント基板７が配置されている。このプリント基板７の表面には、マイク６が配置されているとともに、キーラバー８が接着されている。このキーラバー８には、キー入力部４の各操作キーのキートップ部４ａが接着されている。また、下部筐体１ｂの表面には、キートップ部４ａが貫通する穴９が形成されている。この穴９から飛び出したキートップ部４ａを使用者が押下することで、キー入力を行うことができる。
【００２６】
また、下部筐体１ｂの内部において、裏面側、すなわち、プリント基板７に対してキーラバー８とは反対側には、電池ボックス１０が設けられている。この電池ボックス１０は、２次電池を内蔵した電池パック２０を収容する部分であり、電池蓋１０ａの取り外しにより、電池パック２０を電池ボックス１０に対して着脱させることができる。この電池パック２０は、機器本体１に電源を供給するための電池側端子２１を備えているが、電池パック２０の詳細については後述する。
【００２７】
また、プリント基板７には、装置側端子としての本体側端子１１の一端が半田付けされている。本体側端子１１は、プリント基板７から電池ボックス１０の壁に形成された穴１０ｂを介して電池ボックス１０内部に突出するように、平板を折り曲げて形成されている。これにより、電池ボックス１０への電池パック２０の装着時には、電池パック２０の電池側端子２１が本体側端子１１と接触してこれらが電気的に接続される。同時に、電池側端子２１とプリント基板７上の回路とが、本体側端子１１を介して電気的に接続される。
【００２８】
次に、電池パック２０の詳細について説明する。
図１は、電池パック２０の概略の構成を示す斜視図である。電池パック２０は、機器本体１に対して着脱され、機器本体１に電源を供給するものであり、略直方体形状で形成され、互いに対向する２面を有している。なお、以下での説明の便宜上、電池パック２０の対向する２面をそれぞれ２０ａ・２０ｂと称することとする。
【００２９】
電池パック２０の電池側端子２１は、第１の端子および第２の端子からなる端子群を複数有しており、第１の端子および第２の端子は、電池パック２０の面２０ａ・２０ｂにそれぞれ設けられている。より具体的には、電池側端子２１は、第１の端子群３１と、第２の端子群３２と、第３の端子群３３とで構成されている。第１の端子群３１は、第１の端子３１ａおよび第２の端子３１ｂで構成され、第２の端子群３２は、第１の端子３２ａおよび第２の端子３２ｂで構成され、第３の端子群３３は、第１の端子３３ａおよび第２の端子３３ｂで構成されている。そして、第１の端子３１ａ・３２ａ・３３ａは、電池パック２０の面２０ａに設けられており、第２の端子３１ｂ・３２ｂ・３３ｂは、電池パック２０の面２０ｂに設けられている。第１の端子３１ａ・３２ａ・３３ａおよび第２の端子３１ｂ・３２ｂ・３３ｂは、全て同一部品で構成されている。
【００３０】
ここで、図４は、電池パック２０およびその周辺の回路構成を模式的に示す説明図である。電池パック２０は、電池セル２２と、電池温度検出用の素子であるサーミスタ２３とを内部に有している。上述した第１の端子群３１の第１の端子３１ａおよび第２の端子３１ｂは、電池セル２２の正極と接続されており、これらの端子は同電位となっている。また、第２の端子群３２の第１の端子３２ａおよび第２の端子３２ｂは、電池セル２２の負極およびサーミスタ２３の一端と接続されており、これらの端子は同電位となっている。さらに、第３の端子群３３の第１の端子３３ａおよび第２の端子３３ｂは、サーミスタ２３の他端と接続されており、これらの端子は同電位となっている。電池パック２０が機器本体１に装着されたとき、電池パック２０の各端子群の第１の端子および第２の端子（例えば第１の端子３１ａと第２の端子３１ｂ）は、本体側端子１１を介して機器本体１に同電位を与えることが可能なことから、互いに同一の機能を有していると言うことができる。
【００３１】
図５は、各端子群の第１の端子および第２の端子の位置関係を模式的に示す説明図である。各端子群について、第１の端子および第２の端子は、面２０ａ・２０ｂの対向方向において互いに重ならないように、面２０ａ・２０ｂ内でずれて配置されている。特に、本実施形態では、各端子群について、第１の端子および第２の端子は、各端子群に共通の点Ｐに対して対称となる位置に設けられている。
【００３２】
より詳細には、第１の端子群３１の第１の端子３１ａおよび第２の端子３１ｂは、面２０ａ・２０ｂの対向方向において互いに重ならないように、面２０ａ・２０ｂ内でずれて配置されているとともに、点Ｐについて対称となるように、面２０ａ・２０ｂに設けられている。また、第２の端子群３２の第１の端子３２ａおよび第２の端子３２ｂは、面２０ａ・２０ｂの対向方向において互いに重ならないように、面２０ａ・２０ｂ内でずれて配置されているとともに、点Ｐについて対称となるように、面２０ａ・２０ｂに設けられている。さらに、第３の端子群３３の第１の端子３３ａおよび第２の端子３３ｂは、面２０ａ・２０ｂの対向方向において互いに重ならないように、面２０ａ・２０ｂ内でずれて配置されているとともに、点Ｐについて対称となるように、面２０ａ・２０ｂに設けられている。
【００３３】
一方、機器本体１側の本体側端子１１は、電池パック２０の上記構成に合わせて以下のように設けられている。すなわち、図４に示すように、本体側端子１１は、電池パック２０の装着時にその電池パック２０の第１の端子３１ａ・３２ａ・３３ａおよび第２の端子３１ｂ・３２ｂ・３３ｂのそれぞれと対向する位置に設けられている。第１の端子３１ａおよび第２の端子３１ｂと対向する位置の本体側端子１１は、機器本体１内の電源入力部（図示せず）と信号線で接続された電源端子となっている。また、第１の端子３２ａおよび第２の端子３２ｂと対向する位置の本体側端子１１は、信号線で接続されたグランド端子となっており、第１の端子３３ａおよび第２の端子３３ｂと対向する位置の本体側端子１１は、機器本体１内の温度検出部（図示せず）と信号線で接続された電池温度検出用端子となっている。つまり、本体側端子１１の２個の電源端子、２個のグランド端子、２個の電池温度検出用端子は、それぞれ１本の信号線に接続されて内部回路に接続されている。また、本体側端子１１は、全て同一部品で構成されている。
【００３４】
次に、本発明の構成による作用効果について説明する。なお、以下での説明の便宜上、第１の端子３１ａ・３２ａ・３３ａと対向する本体側端子１１は、機器本体１の下部筐体１ｂ内では上方（ヒンジ部１ｃ側）に設けられているものとし、第２の端子３１ｂ・３２ｂ・３３ｂと対向する本体側端子１１は、下部筐体１ｂ内では下方（マイク６側）に設けられているものとする。したがって、電池パック２０が機器本体１に装着されたときは、電池パック２０の第１の端子３１ａ・３２ａ・３３ａが第２の端子３１ｂ・３２ｂ・３３ｂよりも上方に位置するものとして説明する。
【００３５】
電池パック２０においては、第１の端子群３１の各端子および第２の端子群３２の各端子は、電池セル２２の正極および負極とそれぞれ接続されているため、第１の端子群３１と第２の端子群３２との間では電位差が発生している。したがって、電池パック２０を機器本体１に装着し、第１の端子群３１の各端子の少なくともいずれかと、対応する本体側端子１１とが電気的に接触するとともに、第２の端子群３２の各端子の少なくともいずれかと、対応する本体側端子１１とが電気的に接触したときに、電池パック２０から機器本体１に電源が供給される。また、電池パック２０の装着によって、第３の端子群３３の第１の端子３３ａと第２の端子３３ｂとのうちの少なくとも一方と、対応する本体側端子１１とが電気的に接触したとき、温度検出部において、入力電位に基づいて電池パック２０内部の温度が検出される。
【００３６】
電池パック２０を機器本体１に装着した状態で、使用者が不注意により、携帯電話機を下部筐体１ｂの下部を下にして落下させた場合、落下時の衝撃によって電池パック２０が微小範囲で瞬間的に下方に移動し、電池パック２０の第１の端子３１ａ・３２ａ・３３ａがその動きに追従できずに、対応する本体側端子１１から瞬間的に離間する。しかし、本実施形態では、電池パック２０において、第１の端子３１ａ・３２ａ・３３ａの形成面（面２０ａ）とは反対側の対向面（面２０ｂ）に、第２の端子３１ｂ・３２ｂ・３３ｂが設けられているので、電池パック２０の上記移動方向は、第２の端子３１ｂ・３２ｂ・３３ｂが、対応する本体側端子１１に押し付けられる方向となり、第２の端子３１ｂ・３２ｂ・３３ｂと本体側端子１１とで電気的な接続状態が保たれる。
【００３７】
したがって、たとえ携帯電話機が落下により大きな衝撃を受けたときでも、互いに対向する面２０ａ・２０ｂに形成された第１の端子３１ａ・３２ａ・３３ａおよび第２の端子３１ｂ・３２ｂ・３３ｂのいずれか一方で、本体側端子１１との電気的な接続状態を確実に維持することができ、電源供給の瞬間的な切断が発生する危険性を大幅に減少させることができる。その結果、落下時の衝撃による入力中のデータの消失や、通話切れ等を未然に防止することができる。
【００３８】
特に、本実施形態では、電池パック２０の第１の端子３１ａ・３２ａ・３３ａおよび第２の端子３１ｂ・３２ｂ・３３ｂは、面２０ａ・２０ｂの対向方向において互いに重ならないように、面２０ａ・２０ｂ内でずれて配置されている。これにより、携帯電話機に衝撃が加わる方向によっては、その衝撃時に加わる力の分力で、第１の端子３１ａ・３２ａ・３３ａおよび第２の端子３１ｂ・３２ｂ・３３ｂのいずれか一方を、これと対向する本体側端子１１に押し付けることができる。したがって、衝撃による電池側端子２１と本体側端子１１との瞬間的な離間の可能性をより低減させた携帯電話機を実現することができる。この効果は、第１の端子３１ａ・３２ａ・３３ａおよび第２の端子３１ｂ・３２ｂ・３３ｂが、各端子群に共通の点Ｐに対して対称となる位置に設けられていることにより、一層確実なものとなる。
【００３９】
また、電池パック２０の第１の端子３１ａ・３２ａ・３３ａおよび第２の端子３１ｂ・３２ｂ・３３ｂは、全て同一部品で構成されており、本体側端子１１についても全て同一部品で構成されているので、端子の数を考慮しても、端子全体のコストが大幅に増大することはない。
【００４０】
なお、本実施形態では、端末機器として携帯電話機を例に挙げて説明したが、機器本体が電池パックによって電池駆動されるものであれば、携帯電話機以外の端末装置にも本発明を適用することができる。
【図面の簡単な説明】
【００４１】
【図１】本発明の実施の一形態に係る端末機器としての携帯電話機に装着される電池パックの概略の構成を示す斜視図である。
【図２】上記携帯電話機の概略の構成を示す斜視図である。
【図３】上記携帯電話機の機器本体を構成する下部筐体の概略の構成を示す断面図である。
【図４】上記電池パックおよびその周辺の回路構成を模式的に示す説明図である。
【図５】上記電池パックの各端子群を構成する第１の端子および第２の端子の位置関係を模式的に示す説明図である。
【符号の説明】
【００４２】
１    機器本体（端末装置）
１１    本体側端子（装置側端子）
２０    電池パック
２０ａ  面
２０ｂ  面
２１    電池側端子
２２    電池セル
２３    サーミスタ（電池温度検出用素子）
３１    第１の端子群
３１ａ  第１の端子
３１ｂ  第２の端子
３２    第２の端子群
３２ａ  第１の端子
３２ｂ  第２の端子
３３    第３の端子群
３３ａ  第１の端子
３３ｂ  第２の端子
【図１】
2006244737.tif 000003
【図２】
2006244737.tif 000004
【図３】
2006244737.tif 000005
【図４】
2006244737.tif 000006
【図５】
2006244737.tif 000007